(57)【要約】      （修正有）【課題】バルブ挿入時に、ソケット穴内部に配されたバネ端子をスムーズにバルブを装着できて、接点不良や保持力不足を解消する車両用室内照明装置を提供する。【解決手段】電線接続部１２を覆う保護カバー５０に軸部５５を設け、軸部よりソケット穴側へ突出するように、ソケット穴内のバネ端子３１の過大変位を防止する過大変位防止片５７を設ける。ハウジング１０には、軸部を着脱自在に受け入れる軸受部２０を設け、軸受部と軸部は、保護カバーを所定の回動角度位置に保持した状態のときにのみ軸受部に軸部を挿入することができるように構成する。過大変位防止片は、保護カバーを所定の回動角度位置に保持して軸部を軸受部に挿入する際に、ソケット穴側への張り出し寸法が略最小の状態となり、保護カバーを下向きに回動させ電線接続部の上面を覆った状態のときに、ソケット穴側への張り出し寸法が大きくなり、バネ端子背後の過大変位規制位置に位置する。【選択図】図１
2010208432.tif 000002
【特許請求の範囲】
【請求項１】
ソケット穴および電線接続部を有する樹脂製のハウジングと、
前記ソケット穴の内部に配される弾性変形可能なバネ端子と前記電線接続部に配される電線接続端子とを有し、前記ハウジングに装着されるバスバーと、
前記バスバーを前記ハウジングに装着して当該バスバーの前記電線接続端子に電線を接続した後で、前記電線接続部の上面を上方から覆うように前記ハウジングに装着される樹脂製の保護カバーと、
前記ハウジングのソケット穴の内部に電球部の下側に配されたベース部を挿入することにより、当該ベース部が前記ソケット穴の内部に配された前記バネ端子に電気的に接続されるバルブと、
を備えた車両用室内照明装置において、
前記保護カバーの前記ソケット穴に隣接する一端側に、軸部が設けられると共に、その軸部より前記ソケット穴側へ突出するように、前記バネ端子の過大変位を防止するための過大変位防止片が設けられ、
一方、前記ハウジングの前記ソケット穴の近傍に、前記保護カバーの軸部を着脱自在に受け入れることで、前記保護カバーを、前記軸部を支点にして上下方向に回動自在に支持する軸受部が設けられ、
前記保護カバーの他端側に、前記軸部を支点にして前記保護カバーを下向きに回動させて、前記保護カバーにより前記電線接続部の上面を覆った状態にしたときに、当該保護カバーを前記ハウジングにロックするロック部が設けられ、
更に、前記軸受部と軸部は、前記保護カバーを所定の回動角度位置に保持した状態のときにのみ前記軸受部に前記軸部を挿入することができ、且つ、前記軸部の挿入後に前記保護カバーを他の回動角度位置に回動させたときに前記軸受部からの軸部の抜けを規制できるように構成され、
前記過大変位防止片は、前記保護カバーを前記所定の回動角度位置に保持して前記軸部を前記軸受部に挿入する際に、前記ソケット穴側への張り出し寸法が略最小の状態となり、且つ、前記保護カバーを下向きに回動させて、該保護カバーにより前記電線接続部の上面を覆った状態にしたときに、前記ソケット穴側への張り出し寸法が大きくなって、前記バネ端子の背後の過大変位規制位置に位置するように構成されている
ことを特徴とする車両用室内照明装置。
【請求項２】
前記保護カバーには、該保護カバーを下向きに回動させて該保護カバーにより前記電線接続部の上面を覆った状態にしたときに、前記ハウジングに突き当たることでそれ以上の前記保護カバーの回動を規制する回動規制部が設けられていることを特徴とする請求項１に記載された車両用室内照明装置。
【請求項３】
前記軸受部には、前記軸部の直径より僅かに大きな直径の軸受孔が設けられると共に、該軸受孔の周壁の一部を切欠くことで前記軸受孔の直径よりも幅が小さく設定された挿入口が設けられ、前記軸部の外周には、該軸部の回動方向の位置を揃えることで前記挿入口からの前記軸部の前記軸受孔への挿入を可能にする切欠が設けられていることを特徴とする請求項１または２に記載の車両用室内照明装置。
【発明の詳細な説明】
【技術分野】
【０００１】
本発明は、車室天井部などに搭載される車両用室内照明装置、特にバルブ（電球）やスイッチなどの機能部品を装備した機能部と呼ばれる部分に関するものである。
【背景技術】
【０００２】
自動車の天井部には室内照明装置が装備されており、その一例として、特許文献１に記載のものが知られている。図７（ａ）は従来の室内照明装置のバルブを装着する前の状態を示す斜視図、（ｂ）は従来の室内照明装置に使用されていた保護カバーの斜視図、図８（ａ）は同装置のバルブを装着する前の状態を示す平面図、（ｂ）は図８（ａ）のＡ−Ａ矢視断面図である。
【０００３】
この室内照明装置は、樹脂製のハウジング２１０と、点灯・消灯を行う例えばオルタネイト型（１回押すごとにＯＮ／ＯＦＦが交互に切り替わる型）のプッシュスイッチ２１４と、回路を構成する図示略のバスバー２３０と、樹脂製の保護カバー２１５と、光源であるバルブ（電球など）１００とを具備している。
【０００４】
ハウジング２１０の一端側には、上方から斜めにバルブ１００を装着するためのソケット穴２１１が設けられ、他端側にはスイッチ２１４を装着するためのスイッチ装着部２１３が設けられている。また、ソケット穴２１１とスイッチ装着部２１３との間には電線接続部２１２が設けられ、その電線接続部２１２にバスバー２３０の電線圧接端子２３２が配設されている。バスバー２３０は、電線Ｗを圧接接続するための電線圧接端子２３２とバルブ１００に給電するためのバネ端子２３１とを有するもので、バネ端子２３１をソケット穴２１１内に位置させた状態でハウジング２１０に組み付けられている。
【０００５】
保護カバー２１５は、電線圧接部２１２を保護するためのものであり、電線Ｗをバスバー２３０の電線圧接端子２３２に圧接した後に、電線接続部２１２の上面を覆うように、上方からハウジング２１０に装着固定されている。この保護カバー２１５は、４箇所にロック部２１８を持っており、上方からハウジング２１０に向けて押し込むことにより、ハウジング２１０に固定することができるようになっている。
【０００６】
バルブ１００は、ソケット穴２１１に下端のベース部１０２を差し込むことで装着固定され、その状態で、ソケット穴２１１の内部に装着されたバネ端子２３１とバルブ１００のベース部１０２に露出した端子（図示略）とが接触導通して、バルブ１００への通電が可能となり、バルブ１００を点灯できるようになっている。
【０００７】
この照明装置を組み立てる場合は、最初に、ハウジング２１０にバスバー２３０を装着し、次にスイッチ２１４を組み付け、次にバスバー２３０の電線圧接端子２３２に電線Ｗを圧接した後、保護カバー２１５を装着して電線を圧接した箇所を保護する。そして最後に、ハウジング２１０のソケット穴２１１にバルブ１００のベース部１０２を差し込むと、ソケット穴２１１の内部に装備されたバネ端子２３１間にベース部１０２が挟持され、それにより、バルブ１００が保持固定されると共に、バネ端子２３１とバルブ１００が電気接続される。
【先行技術文献】
【特許文献】
【０００８】
【特許文献１】特開２００７−２４５７９５号公報（図２）
【発明の概要】
【発明が解決しようとする課題】
【０００９】
ところで、上述した従来の室内照明装置においては、バスバー２３０の装着性などを考慮した結果、図８（ｂ）に示すように、保護カバー２１５に近い方のバネ端子２３１の背後に大きなスペースＳができてしまうため、バルブ１００をソケット穴２１１に挿入する際に、バルブ１００のベース部１０２の挿入角度によって、ソケット穴２１１内のバネ端子２３１を無理に変形させてしまう可能性があった。特に斜めにバルブ１００を挿入する場合、角度がちょっとでもずれると、挿入しようとするバルブ１００のベース部１０２でバネ端子２３１を変形させてしまう可能性が高かった。それを防止するためにソケット穴２１１の周囲にガイドを設けるなどしていることもあるが、それでも、バネ端子２３１間にバルブ１００のベース部１０２を無理なく挿入するのは難しく、バネ端子２３１を過大に変形させてしまいやすかった。バネ端子２３１を過大に変形させてしまうと、ベース部１０２に対する接圧が弱くなり、接点不良を生じたり、ベース部１０２を挟持する保持力が弱くなったりして、最悪の場合、バルブ１００の装着が不可になるという問題があった。
【００１０】
本発明は、上述した事情に鑑みてなされたものであり、その目的は、バルブの挿入時に、ソケット穴の内部に配されたバネ端子を過大に変形させる心配がなく、スムーズにバルブを装着することができて、接点不良や保持力不足を解消することのできる車両用室内照明装置を提供することにある。
【課題を解決するための手段】
【００１１】
前述した目的を達成するために、本発明に係る車両用室内照明装置は、下記（１）〜（３）を特徴としている。
（１）  ソケット穴および電線接続部を有する樹脂製のハウジングと、
前記ソケット穴の内部に配される弾性変形可能なバネ端子と前記電線接続部に配される電線接続端子とを有し、前記ハウジングに装着されるバスバーと、
前記バスバーを前記ハウジングに装着して当該バスバーの前記電線接続端子に電線を接続した後で、前記電線接続部の上面を上方から覆うように前記ハウジングに装着される樹脂製の保護カバーと、
前記ハウジングのソケット穴の内部に電球部の下側に配されたベース部を挿入することにより、当該ベース部が前記ソケット穴の内部に配された前記バネ端子に電気的に接続されるバルブと、
を備えた車両用室内照明装置において、
前記保護カバーの前記ソケット穴に隣接する一端側に、軸部が設けられると共に、その軸部より前記ソケット穴側へ突出するように、前記バネ端子の過大変位を防止するための過大変位防止片が設けられ、
一方、前記ハウジングの前記ソケット穴の近傍に、前記保護カバーの軸部を着脱自在に受け入れることで、前記保護カバーを、前記軸部を支点にして上下方向に回動自在に支持する軸受部が設けられ、
前記保護カバーの他端側に、前記軸部を支点にして前記保護カバーを下向きに回動させて、前記保護カバーにより前記電線接続部の上面を覆った状態にしたときに、当該保護カバーを前記ハウジングにロックするロック部が設けられ、
更に、前記軸受部と軸部は、前記保護カバーを所定の回動角度位置に保持した状態のときにのみ前記軸受部に前記軸部を挿入することができ、且つ、前記軸部の挿入後に前記保護カバーを他の回動角度位置に回動させたときに前記軸受部からの軸部の抜けを規制できるように構成され、
前記過大変位防止片は、前記保護カバーを前記所定の回動角度位置に保持して前記軸部を前記軸受部に挿入する際に、前記ソケット穴側への張り出し寸法が略最小の状態となり、且つ、前記保護カバーを下向きに回動させて、該保護カバーにより前記電線接続部の上面を覆った状態にしたときに、前記ソケット穴側への張り出し寸法が大きくなって、前記バネ端子の背後の過大変位規制位置に位置するように構成されていること。
（２）  上記（１）の構成の車両用室内照明装置において、
前記保護カバーには、該保護カバーを下向きに回動させて該保護カバーにより前記電線接続部の上面を覆った状態にしたときに、前記ハウジングに突き当たることでそれ以上の前記保護カバーの回動を規制する回動規制部が設けられていること。
（３）  上記（１）または（２）の構成の車両用室内照明装置において、
前記軸受部には、前記軸部の直径より僅かに大きな直径の軸受孔が設けられると共に、該軸受孔の周壁の一部を切欠くことで前記軸受孔の直径よりも幅が小さく設定された挿入口が設けられ、前記軸部の外周には、該軸部の回動方向の位置を揃えることで前記挿入口からの前記軸部の前記軸受孔への挿入を可能にする切欠が設けられていること。
【００１２】
上記（１）の構成の車両用室内照明装置によれば、保護カバーの軸部をハウジングの軸受部に挿入した上で保護カバーを下向きに回動させることにより、ハウジングの電気接続部を覆った状態で、保護カバーをハウジングに装着・固定することができる。この場合、保護カバーを予め決められた回動角度位置に保持した状態で軸部を軸受部に挿入することになるが、その予め決められた回動角度位置で保護カバーを組み付ける際には、過大変位防止片のソケット穴側への張り出し寸法が略最小の状態となるので、過大変位防止片のバネ端子への干渉を避けながら、保護カバーをハウジングに組み付けることができる。そして、その状態から保護カバーを下向きに回動させることで、電線圧接後の電線接続部を覆った状態で、保護カバーをハウジングにロックさせることができる。また、このように保護カバーをロックさせる過程で、保護カバーに設けた過大変位防止片がバネ端子の背後の過大変位規制位置に移動するので、保護カバーの装着後にバルブを挿入する時に、誤ってバネ端子を過大に変位させてしまうことを防止できる。
即ち、本照明装置においては、ハウジングに過大変位防止片を設けるのではなく、バスバーの組み付け後にあとからハウジングに装着する保護カバーに過大変位防止片を設けているので、ハウジングに対してバスバーを装着するときに、過大変位防止片がバスバーの組み付けの邪魔になることが全くない。また、ただ単にハウジングの上から装着する保護カバーに過大変位防止片を設けるだけでは、バネ端子の過大変位を有効に阻止できる位置に過大変位防止片を位置させることは難しいが、保護カバーを敢えて回動させてハウジングに装着する形式にした上で、その保護カバーに過大変位防止片を設けているので、過大変位防止片を、バネ端子の過大変位を一番有効に阻止できる位置に配置することができる。しかも、保護カバーをハウジングに組み付ける段階では、過大変位防止片がソケット穴の方へできるだけ張り出さないようにしているので、バネ端子が保護カバー側へ反り返るような形状をしていても、バネ端子に過大変位防止片が接触しないようにしながら、保護カバーをハウジングに無理なく組み付けることができる。
上記（２）の構成の車両用室内照明装置によれば、ロック部とは別に回動規制部を設けたので、ガタつきなく確実に保護カバーを固定することができる。
上記（３）の構成の車両用室内照明装置によれば、挿入口と軸部の切欠の位置が揃った回動角度位置のときだけ、保護カバーの軸部をハウジングの軸受部に挿入することができる。従って、保護カバーをハウジングに組み付ける時の角度を規制することができ、それによって、特に注意しないでも、また誰によっても、過大変位防止片をバネ端子に接触させないようにしながら、保護カバーをハウジングに容易に組み付けることができる。
【発明の効果】
【００１３】
本発明によれば、バルブをソケット穴に挿入する際に、バルブの挿入角度のズレなどによって誤ってバネ端子に無理な力が加わっても、バネ端子が過大に変形することを防止することができる。従って、スムーズにバルブを装着することができて、接点不良や保持力不足を防止することができ、バルブの装着が不可になるという最悪の事態を回避することができる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】本発明の実施形態の車両用室内照明装置の構成図で、（ａ）はバルブを装着する前の状態を示す斜視図、（ｂ）はバルブを装着した後の状態を示す斜視図である。
【図２】同照明装置の保護カバーの構成図であり、（ａ）は斜視図、（ｂ）は平面図、（ｃ）は正面図、（ｄ）は側面図である。
【図３】同照明装置のハウジングの構成図であり、（ａ）は斜視図、（ｂ）は側面図である。
【図４】同照明装置のハウジングに電線圧接後に保護カバーを装着するために、ハウジング側の軸受部に保護カバー側の軸部を挿入している途中の状態を示す図で、（ａ）は平面図、（ｂ）は側面図、（ｃ）は（ａ）のＢ−Ｂ矢視断面図である。
【図５】同照明装置のハウジングに保護カバーを装着するために、ハウジング側の軸受部に保護カバー側の軸部を挿入した後の状態を示す図で、（ａ）は平面図、（ｂ）は側面図、（ｃ）は（ａ）のＣ−Ｃ矢視断面図である。
【図６】同照明装置のハウジングへの保護カバーの装着が完了した状態を示す図で、（ａ）は平面図、（ｂ）は側面図、（ｃ）は（ａ）のＤ−Ｄ矢視断面図である。
【図７】従来の照明装置の構成図で、（ａ）はバルブを装着する前の状態を示す斜視図、（ｂ）は保護カバーの斜視図である。
【図８】（ａ）は同装置のバルブを装着する前の状態を示す平面図、（ｂ）は（ａ）のＡ−Ａ矢視断面図である。
【発明を実施するための形態】
【００１６】
以下、本発明に係る好適な実施形態を図面に基づいて詳細に説明する。
【００１７】
図１は本発明の実施形態のバルブソケット構造が適用された照明装置の構成図で、（ａ）はバルブを装着する前の状態を示す斜視図、（ｂ）はバルブを装着した後の状態を示す斜視図、図２は同照明装置の保護カバーの構成図であり、（ａ）は斜視図、（ｂ）は平面図、（ｃ）は正面図、（ｄ）は側面図、図３は同照明装置のハウジングの構成図であり、（ａ）は斜視図、（ｂ）は側面図である。
【００１８】
また、図４〜図６は同照明装置のハウジングに電線圧接後に保護カバーを装着する過程を示す図で、図４はハウジング側の軸受部に保護カバー側の軸部を挿入している途中の状態を示す図、図５はハウジング側の軸受部に保護カバー側の軸部を挿入した後の状態を示す図、図６はハウジングへの保護カバーの装着が完了した状態を示す図で、各図４〜図６の（ａ）は平面図、（ｂ）は側面図、（ｃ）は各（ａ）のそれぞれＢ−Ｂ、Ｃ−Ｃ、Ｄ−Ｄ矢視断面図である。
【００１９】
図１に示すように、本実施形態の照明装置（一般的に車室内天井照明装置の機能部と呼ばれるユニット部分に相当する）は、樹脂製のハウジング１０と、ハウジング１０のソケット穴１１に装着される白熱バルブ（以下、単に「バルブ」という）１００と、ハウジング１０に装着される２系統のバスバー３０と、ハウジング１０のスイッチ装着部１３に装着されたスイッチ１４と、ハウジング１０の電線圧接部１２を覆う樹脂製の保護カバー５０とを備えている。
【００２０】
ハウジング１０のソケット穴１１は、ハウジング１０の長手方向の一端側に設けられ、このソケット穴１１は、ハウジング１０の基準面（図１においては下面）に対して傾斜しており、その基準面に対して、バルブ１００が軸線を傾けた姿勢で装着されるようになっている。バルブ１００は、円筒形状の電球部１０１の下側に偏平なベース部１０２を有するもので、ベース部１０２の底面から側面にかけて、電球部１０１の内部からリードが引き出されており、その露出した部分が端子（図示略）となっている。
【００２１】
各系統のバスバー３０は、一端側にバルブ１００に対する給電用のバネ端子３１を有し、他端側に電線を接続するための電線圧接端子（図示略）やスイッチ１４に接続するための接続端子（図示略）を有している。各バスバー３０のバネ端子３１は、ハウジング１０のソケット穴１１の内部に収容されることで、バルブ１００のベース部１０２が挿入された際にベース部１０２側の端子と接触導通する部分であり、電線圧接端子（図示略）は、ハウジング１０の電線圧接部１２にセットされることで、その上から電線Ｗを圧接により接続する部分である。
【００２２】
各バスバー３０のバネ端子３１は、図４〜図６に示すように、ハウジング１０の長手方向に対向配置された一対の接点バネ３２を有している。これら一対の接点バネ３２は、両接点バネ３２間にバルブ１００のベース部１０２が挿入された際に、ベース部１０２の側面を両側から挟持することによりバルブ１００を保持し、且つ、その状態でベース部１０２の側面に露出した端子に接触導通するものである。これら一対の接点バネ３２は、ソケット穴１１の入口方向（ベース部１０２の挿入されて来る方向）に自由端を延ばした片持バネ片としてそれぞれ形成されており、各接点バネ３２の固定端（基端）と自由端（先端）との間には、互いに向かい合う側が凸になっていてベース部１０２の側面に圧接する湾曲部（特に符号は付けず）が設けられている。
【００２３】
そして、バルブ１００のベース部１０２がソケット穴１１の内部に挿入されたときに、ベース部１０２の側面が一対の接点バネ３２の湾曲部に摺動することにより、接点バネ３２の自由端（先端）側が外側に押し広げられ、その押し広げられた際の接点バネ３２の撓み変形により発生するバネ復元力によって、ベース部１０２が接点バネ３２間に挟持されるようになっている。
【００２４】
また、保護カバー５０は、図２に示すように、平面形状が略四角形のカバー本体５１を有するもので、ソケット穴１１に隣接するカバー本体５１の一端側に凸壁部５２を有し、さらにその凸壁部５２の両側面に突出させて一対の略円柱形状の軸部５５を有している。また、凸壁部５２の下側には、軸部５５よりソケット穴１１側へ突出するように、前述したバネ端子３１の過大変位を防止するための過大変位防止片５７を備えている。
【００２５】
また、カバー本体５１の他端側には、軸部５５を支点にして保護カバー５０を下向きに回動させて、保護カバー５０により電線接続部１２の上面を覆った状態にしたときに、保護カバー５０をハウジング１０にロックするためのロック部５８が設けられている。また、保護カバー５０には、カバー本体５１の四隅に位置させて回動規制部５６が設けられている。これらの回動規制部５６は、保護カバー５０を下向きに回動させて、保護カバー５０により電線接続部１２の上面を覆った状態にしたときに、ハウジング１０の対応箇所に突き当たることで、それ以上の保護カバー５０の回動を規制するものである。
【００２６】
一方、図３に示すように、ハウジング１０のソケット穴１１の近傍には、保護カバー５０の軸部５５を着脱自在に受け入れることで、保護カバー５０を、軸部５５を支点にして上下方向に回動自在に支持する軸受部２０が設けられている。また、ハウジング１０の保護カバー５０側のロック部５８に対応する位置には、保護カバー５０側のロック部５８と互いに係合することで、保護カバー５０をロックするロック部２６が設けられている。
【００２７】
軸受部２０と軸部５５は、図４に示すように、保護カバー５０を所定の回動角度位置に保持した状態のときにのみ軸受部２０に対して軸部５５を挿入することができ、且つ、軸部５５の挿入後に保護カバー５０を他の回動角度位置に回動させたときに軸受部２０からの軸部５５の抜けを規制できるように構成されている。
【００２８】
具体的には、図２及び図３に示すように、軸受部２０には、軸部５５の直径より僅かに大きな直径の軸受孔２１が設けられると共に、該軸受孔２１の周壁の一部（上側に位置する周壁部分）を切欠くことで軸受孔２１の直径よりも幅が小さく設定された挿入口２２が設けられている。また、軸部５５の外周には、軸部５５の回動方向の位置を揃えることで、挿入口２２からの軸部５５の軸受孔２１への挿入を可能にする切欠５５ａが設けられている。
【００２９】
また、過大変位防止片５７は、図４及び図５に示すように、保護カバー５０を所定の回動角度位置（図４に示す角度位置）に保持して軸部５５を軸受部２０に挿入する際に、ソケット穴１１側への張り出し寸法が略最小の状態となり（つまり、過大変位防止片５７が垂直になることで、ソケット穴１１側にほとんど張り出さない状態になり）、且つ、図７に示すように、保護カバー５０を下向きに回動させて、保護カバー５０により電線接続部１２の上面を覆った状態にしたときに、ソケット穴１１側への張り出し寸法が大きくなって、バネ端子３１（特に電線接続部１２側の接点バネ３２）の背後の過大変位規制位置に位置するようになっている。
【００３０】
次に作用を説明する。
【００３１】
この照明装置を組み立てる場合は、図４〜図６に示すように、まず、ハウジング１０に２系統のバスバー（図ではバネ端子３１のみが示されている）を組み付け、バスバーのバネ端子３１をソケット穴１１の内部の所定位置に位置決めすると共に、バスバーの電線圧接端子（図示略）を電線接続部１２に組み付ける。次いで、バスバーの電線圧接端子（図示略）に電線Ｗを圧接接続し、スイッチ１４をスイッチ装着部１３に装着すると共に、保護カバー５０の軸部５５を、図４（ｂ）中矢印Ｐのように、上方からハウジング１０の軸受部２０に挿入した上で、保護カバー５０を、図５（ｃ）中矢印Ｑのように下向きに回動させることにより、ハウジング１０の電気接続部１２を覆った状態で、保護カバー５０をハウジング１０に装着・固定する。
【００３２】
この場合、保護カバー５０は、図４に示すように予め決められた回動角度位置に保持した状態でないと、軸部５５を軸受部２０に挿入することができないので、まず、その回動角度位置に保護カバー５０を保持しながら軸部５５を軸受部２０に挿入する。つまり、軸受部２の挿入口２２と軸部５５の切欠５５ａの位置が互いに揃った状態のときだけしか、保護カバー５０の軸部５５をハウジング１０の軸受部２０の軸受孔２１に挿入することができないので、まず、保護カバー５０の姿勢をその回動角度位置に保った状態で、軸部５５を軸受孔２１の中に挿入する。
【００３３】
このような回動角度位置を保った姿勢で保護カバー５０をハウジング１０に組み付ける際には、図４（ｃ）に示すように、過大変位防止片５７のソケット穴１１側への張り出し寸法が略最小の状態となるので、過大変位防止片５７のバネ端子３１への干渉を避けながら、保護カバー５０をハウジング１０に組み付けることができる。
【００３４】
そして、その状態から保護カバー５０を下向きに図５（ｃ）中の矢印Ｑのように回動させることで、電線圧接後の電線接続部１２を覆った状態で、図６に示すように、保護カバー５０のロック部５８をハウジング１０側のロック部２６にロックさせることができ、それにより保護カバー５０をロックすることができる。また、図６（ｃ）中のＮ円部で示すように、保護カバー５０側の回動規制部５６がハウジング１０に突き当たることで、それ以上の保護カバー５０の回動を阻止し、それによりガタつきのないロック状態を維持することができる。
【００３５】
このように保護カバー５０を回動させてロックさせる過程で、保護カバー５０に設けられた過大変位防止片５７は、バネ端子３１（電線接続部１２側の接点バネ３２）の背後の過大変位規制位置に移動する。そして、過大変位規制位置に保護カバー５０の過大変位防止片５７が位置することにより、図６（ｃ）中のＭ円部で示すように、バネ端子３１の撓みスペースを小さくして、バネ端子３１の過大な変形を阻止することができるようになる。
【００３６】
従って、この状態でバルブ１００を矢印Ｒのようにソケット穴１１に挿入した際に、誤ってベース部１０２を電線接続部１２側の接点バネ３２に強く当ててしまった場合にも、当該接点バネ３２を過大に変位させてしまうことを防止できる。
【００３７】
以上に述べた照明装置では、ハウジング１０に過大変位防止片５７を設けるのではなく、バスバー３０の組み付け後にあとからハウジング１０に装着する保護カバー５０に過大変位防止片５７を設けているので、ハウジング１０に対してバスバー３０を装着するときに、過大変位防止片５７がバスバー３０の組み付けの邪魔になることが全くない。また、従来例のように、ただ単にハウジングの上から装着する保護カバーに過大変位防止片を設けるだけでは、バネ端子の過大変位を有効に阻止できる位置に過大変位防止片を位置させることは難しいが、保護カバー５０を敢えて回動させてハウジング１１に装着する形式にした上で、その保護カバー５０に過大変位防止片５７を設けているので、過大変位防止片５７を、バネ端子３１（接点バネ３２）の過大変位を一番有効に阻止できる位置に配置することができる。
【００３８】
しかも、保護カバー５０をハウジング１０に組み付ける段階では、図４（ｃ）に示すように、過大変位防止片５７がソケット穴１１の方へできるだけ張り出さないようにしているので、接点バネ３２が図示例のように保護カバー５０側へ反り返るような形状をしていても、接点バネ３２に過大変位防止片５７が接触しないようにしながら、保護カバー５０をハウジング１０に無理なく組み付けることができる。
【００３９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４０】
１０  ハウジング
１１  ソケット穴
１２  電線接続部
２０  軸受部
２１  軸受孔
２２  挿入口
３０  バスバー
３１  バネ端子
３２  接点バネ
５０  保護カバー
５５  軸部
５５ａ  切欠
５６  回動規制部
５７  過大変位防止片
５８  ロック部
１００  バルブ
１０１  電球部
１０２  ベース部
【図１】
2010208432.tif 000003
【図２】
2010208432.tif 000004
【図３】
2010208432.tif 000005
【図４】
2010208432.tif 000006
【図５】
2010208432.tif 000007
【図６】
2010208432.tif 000008
【図７】
2010208432.tif 000009
【図８】
2010208432.tif 000010